(57)【要約】【課題】ユーザによる操作が煩雑化するのを抑制しながら、ユーザの好みに合ったインターネットラジオ番組が出力されるまでの時間を短縮することが可能なインターネットラジオ機能を有する電子機器を提供する。【解決手段】このインターネットラジオ装置１は、インターネットラジオ番組の配信サーバ９０からインターネット７０を介してインターネットラジオ番組の音声データを受信する受信部１２と、受信部１２により受信されたインターネットラジオ番組の音声データを出力するスピーカー３と、インターネットラジオ番組の過去の聴取頻度に基づいて、スピーカー３が出力するインターネットラジオ番組を決定するとともに、所定の時間毎にスピーカー３が出力するインターネットラジオ番組を、インターネットラジオ番組の過去の聴取頻度に基づいて切換可能な制御部１０とを備える。【選択図】図２
2010278794.tif 000002
【特許請求の範囲】
【請求項１】
インターネットラジオ番組の配信サーバからインターネットを介してインターネットラジオ番組の音声データを受信する受信部と、
前記受信部により受信されたインターネットラジオ番組の音声データを出力する出力部と、
インターネットラジオ番組の過去の聴取頻度に基づいて、前記出力部が出力するインターネットラジオ番組を決定するとともに、所定の時間毎に前記出力部が出力するインターネットラジオ番組を、インターネットラジオ番組の過去の聴取頻度に基づいて切換可能な制御部とを備えた、インターネットラジオ機能を有する電子機器。
【請求項２】
インターネットラジオ番組の聴取頻度を記憶可能な記憶部をさらに備え、
前記制御部は、前記記憶部により記憶されたインターネットラジオ番組の聴取頻度に基づいて、前記出力部が出力するインターネットラジオ番組を決定するように構成されている、請求項１に記載のインターネットラジオ機能を有する電子機器。
【請求項３】
前記制御部は、インターネットラジオ番組をインターネットを介してアクセスするためのＵＲＬと、前記ＵＲＬにアクセスした回数とを対応付けて前記記憶部に記憶するように構成されているとともに、前記記憶部により記憶されたＵＲＬのアクセス回数に基づいて、前記出力部が出力するインターネットラジオ番組を決定するように構成されている、請求項２に記載のインターネットラジオ機能を有する電子機器。
【請求項４】
前記インターネットラジオ番組の所定の時間毎の切換動作を停止させるとともに、前記出力部により出力中のインターネットラジオ番組を継続的に出力させるユーザによる指示を受け付ける番組固定受付手段をさらに備える、請求項１〜３のいずれか1項に記載のインターネットラジオ機能を有する電子機器。
【請求項５】
ユーザの操作により前記出力部に出力するインターネットラジオ番組を選局する手動選局モードと、前記出力部に出力するインターネットラジオ番組を自動的に選局する自動選局モードとを切換可能なモード切換部をさらに備え、
前記制御部は、前記自動選局モードが選択されている場合に、所定の時間毎に前記出力部が出力するインターネットラジオ番組を、インターネットラジオ番組の聴取頻度に基づいて切り換える制御を行うように構成されている、請求項１〜４のいずれか１項に記載のインターネットラジオ機能を有する電子機器。
【請求項６】
インターネットラジオ番組の聴取頻度を記憶可能な記憶部をさらに備え、
前記制御部は、前記手動選局モードが選択されている場合に、ユーザの操作により選局されたインターネットラジオ番組の聴取頻度を前記記憶部に記憶するとともに、前記自動選局モードが選択されている場合には、選局されたインターネットラジオ番組の聴取頻度を前記記憶部に記憶しないように構成されている、請求項５に記載のインターネットラジオ機能を有する電子機器。
【請求項７】
ディスク駆動部と、
インターネットラジオ番組の配信サーバからインターネットを介してインターネットラジオ番組の音声データを受信する受信部と、
前記ディスク駆動部により再生されたデータを表示装置に出力するとともに、前記受信部によりインターネットを介して配信サーバから受信されたインターネットラジオ番組の音声データを前記表示装置に出力する出力部と、
インターネットラジオ番組の過去の聴取頻度に基づいて、前記出力部が出力するインターネットラジオ番組を決定するとともに、所定の時間毎に前記出力部が出力するインターネットラジオ番組を、インターネットラジオ番組の過去の聴取頻度に基づいて切換可能な制御部とを備えた、インターネットラジオ機能を有するディスク装置。
【発明の詳細な説明】
【技術分野】
【０００１】
この発明は、インターネットラジオ機能を有する電子機器およびディスク装置に関する。
【背景技術】
【０００２】
従来、インターネットラジオ機能を有する電子機器などが知られている（たとえば、特許文献１〜３参照）。
【０００３】
上記特許文献１では、インターネットラジオ放送局の配信サーバから配信されたインターネットラジオ番組のオーディオデータファイル（音声データ）を受信するネットワークコントローラ（受信部）と、インターネットラジオ番組のオーディオデータファイルを出力するスピーカー（出力部）と、インターネットラジオ放送局の放送局名を表示する表示部と、ＣＰＵとを備えた受信装置（電子機器）が開示されている。この受信装置のＣＰＵは、インターネットラジオ番組のオーディオデータファイルを受信する際に、インターネットラジオ放送局の放送局リストを取得要求する信号をポータルサイト（検索用サーバ）にネットワークコントローラを介して送信し、放送局リストがネットワークコントローラにより受信されると、放送局リストを表示するように表示部を制御する。そして、表示部に表示された放送局リストの中から１つのインターネットラジオ放送局がユーザの操作により選択されて、このインターネットラジオ放送局からオーディオデータファイルが受信される。これにより、インターネットラジオ番組の聴取が可能となる。
【０００４】
また、上記特許文献２では、放送電波を受信するチューナ（受信部）と、チューナにより受信された番組の音声を出力するスピーカーと、チューナにより受信された放送電波の周波数を記憶する記憶部と、制御部とを備えたＡＶ機器（電子機器）が開示されている。このＡＶ機器では、制御部は、チューナにより受信可能な放送電波を探査するとともに、受信された放送電波の周波数を記憶部に記憶し、受信された番組をスピーカーにより所定時間出力する。そして、制御部は、所定時間経過後に、再び受信可能な放送電波を探査し、受信された番組をさらに所定時間スピーカーによる出力を継続する。このように、制御部は、番組の探査と出力とを繰り返すように構成されている。また、ユーザによる所定の操作があった場合には、制御部は、出力中の番組をスピーカーにより出力しつづけるように構成されている。
【０００５】
また、上記特許文献３では、放送電波を受信するチューナ（受信部）と、チューナにより受信された番組の音声を出力するスピーカーと、ユーザによる番組の視聴頻度を記憶する記憶部と、制御部とを備えた情報処理装置（電子機器）が開示されている。この情報処理装置の制御部は、記憶部に記憶された視聴頻度に基づいて、受信する番組を決定するようにチューナを制御することにより、最初に出力する番組を決定するように構成されている。
【先行技術文献】
【特許文献】
【０００６】
【特許文献１】特開２００６−３１１９７号公報
【特許文献２】特開２００１−３４６２３２号公報
【特許文献３】特開２００２−２４６９２７号公報
【発明の概要】
【発明が解決しようとする課題】
【０００７】
しかしながら、上記特許文献１による受信装置（電子機器）では、ユーザは、インターネットラジオ放送（番組）を聴取する際に、表示部に表示された放送局リストから１つのインターネットラジオ放送局を選択する必要がある。特に、インターネットラジオの番組は、通常のラジオ電波による番組と異なり、非常に多くの番組が存在するので、１つ１つの番組を選局しながら好みの番組を探す操作は、ユーザにとって煩雑になりやすいという問題点がある。
【０００８】
また、上記特許文献２によるＡＶ機器（電子機器）では、制御部は、ユーザの番組の聴取頻度とは無関係にチューナにより受信可能な放送電波を探査するとともに、チューナにより受信された番組をスピーカーにより出力するように構成されているので、ユーザの好みに合った番組が出力されない場合があるという不都合がある。また、上記特許文献２の放送電波を受信するチューナに関する技術を、インターネットラジオに適用した場合、インターネットラジオ番組では、非常に多くの番組が存在するので、受信可能な番組の探査と出力とを繰り返した場合、ユーザの好みに合った番組が出力されるのに、時間がかかりすぎる場合があるという問題点がある。
【０００９】
また、上記特許文献３による情報処理装置（電子機器）では、最初に出力される番組をユーザの聴取頻度に基づいて選局することが可能である一方で、最初に出力された番組から番組を変更して、好みに合った番組を探す場合には、ユーザの操作により番組の選局と、聴取とを繰り返す必要がある。また、上記特許文献３の放送電波を受信するチューナに関する技術を、インターネットラジオに適用した場合、インターネットラジオの番組は、非常に多くの番組が存在するので、１つ１つの番組を選局しながら好みの番組を探す操作は、ユーザにとって煩雑になりやすいという問題点がある。
【００１０】
この発明は、上記のような課題を解決するためになされたものであり、この発明の１つの目的は、ユーザによる操作が煩雑化するのを抑制しながら、ユーザの好みに合ったインターネットラジオ番組が出力されるまでの時間を短縮することが可能なインターネットラジオ機能を有する電子機器およびディスク装置を提供することである。
【課題を解決するための手段および発明の効果】
【００１１】
この発明の第１の局面によるインターネットラジオ機能を有する電子機器は、インターネットラジオ番組の配信サーバからインターネットを介してインターネットラジオ番組の音声データを受信する受信部と、受信部により受信されたインターネットラジオ番組の音声データを出力する出力部と、インターネットラジオ番組の過去の聴取頻度に基づいて、出力部が出力するインターネットラジオ番組を決定するとともに、所定の時間毎に出力部が出力するインターネットラジオ番組を、インターネットラジオ番組の過去の聴取頻度に基づいて切換可能な制御部とを備える。
【００１２】
この発明の第１の局面によるインターネットラジオ機能を有する電子機器では、上記のように、受信部により受信されたインターネットラジオ番組の音声データを出力する出力部と、インターネットラジオ番組の過去の聴取頻度に基づいて、出力部が出力するインターネットラジオ番組を決定するとともに、所定の時間毎に出力部が出力するインターネットラジオ番組を、インターネットラジオ番組の過去の聴取頻度に基づいて切換可能な制御部とを設けることによって、ユーザの過去の聴取頻度が反映されたインターネットラジオ番組が自動的に選局されるとともに、選局されるインターネットラジオ番組が所定の時間毎に自動的に切り換えられる。これにより、ユーザの好みに合ったインターネットラジオ番組が自動的に選局されるとともに、ユーザの好みに合った番組の選局動作が所定の時間毎に自動的に繰り返されるので、ユーザによる操作が煩雑化するのを抑制しながら、ユーザの好みに合ったインターネットラジオ番組が出力されるまでの時間を短縮することができる。
【００１３】
上記第１の局面によるインターネットラジオ機能を有する電子機器において、好ましくは、インターネットラジオ番組の聴取頻度を記憶可能な記憶部をさらに備え、制御部は、記憶部により記憶されたインターネットラジオ番組の聴取頻度に基づいて、出力部が出力するインターネットラジオ番組を決定するように構成されている。このように構成すれば、記憶部に記憶されたインターネットラジオ番組の聴取頻度に基づいて、容易に、ユーザの好みに合ったインターネットラジオ番組を選局することができる。
【００１４】
この場合、好ましくは、制御部は、インターネットラジオ番組をインターネットを介してアクセスするためのＵＲＬとＵＲＬにアクセスした回数とを対応付けて記憶部を記憶するように構成されているとともに、記憶部により記憶されたＵＲＬのアクセス回数に基づいて、出力部が出力するインターネットラジオ番組を決定するように構成されている。このように構成すれば、記憶部に記憶されたインターネットラジオ番組のＵＲＬおよびそのＵＲＬのアクセス回数に基づいて、容易に、ユーザの好みに合ったインターネットラジオ番組を選局することができる。
【００１５】
上記第１の局面によるインターネットラジオ機能を有する電子機器において、好ましくは、インターネットラジオ番組の所定の時間毎の切換動作を停止させるとともに、出力部により出力中のインターネットラジオ番組を継続的に出力させるユーザによる指示を受け付ける番組固定受付手段をさらに備える。このように構成すれば、インターネットラジオ番組の切換動作中に、ユーザの好みに合ったインターネットラジオ番組が出力された場合に、番組固定受付手段によりユーザの指示が受け付けられることにより、容易に、所定の時間毎のインターネットラジオ番組の切換動作を停止させるとともに、ユーザの好みに合ったインターネットラジオ番組の聴取を継続することができる。
【００１６】
上記第１の局面によるインターネットラジオ機能を有する電子機器において、好ましくは、ユーザの操作により出力部に出力するインターネットラジオ番組を選局する手動選局モードと、出力部に出力するインターネットラジオ番組を自動的に選局する自動選局モードとを切換可能なモード切換部をさらに備え、制御部は、自動選局モードが選択されている場合に、所定の時間毎に出力部が出力するインターネットラジオ番組を、インターネットラジオ番組の聴取頻度に基づいて切り換える制御を行うように構成されている。このように構成すれば、モード切換部が操作されることによって手動選局モードと自動選局モードとが切り換えられることにより、ユーザの好みに合ったインターネットラジオ番組を選局することができる。
【００１７】
この場合、好ましくは、インターネットラジオ番組の聴取頻度を記憶可能な記憶部をさらに備え、制御部は、手動選局モードが選択されている場合に、ユーザの操作により選局されたインターネットラジオ番組の聴取頻度を記憶部に記憶するとともに、自動選局モードが選択されている場合には、選局されたインターネットラジオ番組の聴取頻度を記憶部に記憶しないように構成されている。このように構成すれば、ユーザ自身の操作により選局されたインターネットラジオ番組のみがインターネットラジオ番組のユーザによる聴取頻度として数えられるので、自動選局モードが選択された際に、より正確にユーザの好みに合ったインターネットラジオ番組を選局することができる。
【００１８】
この発明の第２の局面におけるインターネットラジオ機能を有するディスク装置は、ディスク駆動部と、インターネットラジオ番組の配信サーバからインターネットを介してインターネットラジオ番組の音声データを受信する受信部と、ディスク駆動部により再生されたデータを表示装置に出力するとともに、受信部によりインターネットを介して配信サーバから受信されたインターネットラジオ番組の音声データを表示装置に出力する出力部と、インターネットラジオ番組の過去の聴取頻度に基づいて、出力部が出力するインターネットラジオ番組を決定するとともに、所定の時間毎に出力部が出力するインターネットラジオ番組を、インターネットラジオ番組の過去の聴取頻度に基づいて切換可能な制御部とを備える。
【００１９】
この発明の第２の局面におけるインターネットラジオ機能を有するディスク装置では、上記のように、受信部により受信されたインターネットラジオ番組の音声データを表示装置に出力する出力部と、インターネットラジオ番組の過去の聴取頻度に基づいて、出力部が出力するインターネットラジオ番組を決定するとともに、所定の時間毎に出力部が出力するインターネットラジオ番組を、インターネットラジオ番組の過去の聴取頻度に基づいて切換可能な制御部とを設けることによって、ユーザの過去の聴取頻度が反映されたインターネットラジオ番組が自動的に選局されるとともに、選局されるインターネットラジオ番組が所定の時間毎に自動的に切り換えられる。これにより、ユーザの好みに合ったインターネットラジオ番組が自動的に選局されるとともに、ユーザの好みに合った番組の選局動作が所定の時間毎に自動的に繰り返されるので、ユーザによる操作が煩雑化するのを抑制しながら、ユーザの好みに合ったインターネットラジオ番組が出力されるまでの時間を短縮することが可能なディスク装置を提供することができる。
【図面の簡単な説明】
【００２０】
【図１】本発明の第１実施形態によるインターネットラジオ装置の全体構成を示した斜視図である。
【図２】図１に示した第１実施形態によるインターネットラジオ装置の構成を示したブロック図である。
【図３】図１に示した第１実施形態によるインターネットラジオ装置の制御部の動作を説明するためのフローチャートである。
【図４】図１に示した第１実施形態によるインターネットラジオ装置の制御部の動作を説明するためのフローチャートである。
【図５】本発明の第２実施形態によるディスク装置の全体構成を説明するための図である。
【図６】図５に示した第２実施形態によるディスク装置の構成を説明するためのブロック図である。
【図７】本発明の変形例によるインターネットラジオ装置の構成を示したブロック図である。
【発明を実施するための形態】
【００２１】
以下、本発明を具体化した実施形態を図面に基づいて説明する。
【００２２】
（第１実施形態）
図１および図２を参照して、まず、本発明の第１実施形態によるインターネットラジオ装置１の構成を説明する。なお、第１実施形態では、本発明のインターネットラジオ機能を有する電子機器の一例として、インターネットラジオ装置１について説明する。
【００２３】
本発明の第１実施形態によるインターネットラジオ装置１は、図１に示すように、筐体２と、筐体２の前面に配置されるスピーカー３と、ＬＣＤからなる表示部４と、操作キー５と、音量調整部６と、電源ボタン７と、モード切換ボタン８とにより構成されている。なお、スピーカー３は、本発明の「出力部」の一例であり、モード切換ボタン８は、本発明の「番組固定受付手段」および「モード切換部」の一例である。スピーカー３は、インターネットラジオ番組を出力するために設けられている。この点については、後に詳しく説明する。また、操作キー５は、上キー５ａと、下キー５ｂと、左キー５ｃと、右キー５ｄと、決定キー５ｅとを含んでいる。
【００２４】
ここで、第１実施形態では、図２に示すように、インターネットラジオ装置１は、スピーカー３、表示部４および操作キー５、モード切換ボタン８と接続される制御部１０を備えている。この制御部１０には、メモリ１１と、受信部１２と、送信部１３と、音声データ処理部１４とが接続されている。受信部１２と送信部１３とは、ＬＡＮ接続部１５を介してＬＡＮケーブル５０ａに接続されている。このＬＡＮケーブル５０ａは、ルータ３０のＬＡＮポート３０ａと接続されている。また、ルータ３０のＬＡＮポート３０ｂには、ＬＡＮケーブル５０ｂを介してパソコン３１のＬＡＮポート３１ａと接続されている。また、パソコン３１は、ＬＡＮポート３１ａと制御部３１ｂとメモリ３１ｃとを含んでいる。なお、メモリ１１は、本発明の「記憶部」の一例であり、音声データ処理部１４は、本発明の「出力部」の一例である。
【００２５】
また、ルータ３０は、インターネット７０を介して、データベースサーバ８０およびインターネットラジオ番組を配信する複数の配信サーバ９０（９０ａ、９０ｂおよび９０ｃ）に接続されている。データベースサーバ８０は、インターネットラジオ番組を配信可能な複数の配信サーバ９０（９０ａ、９０ｂおよび９０ｃ）および番組のＵＲＬを記憶するデータベースを有している。これにより、インターネットラジオ装置１およびパソコン３１からデータベースサーバ８０にアクセスすることにより、インターネットラジオ番組を配信可能な配信サーバ９０および配信サーバ９０が有する番組を検索することが可能となる。また、データベースサーバ８０は、配信サーバ９０により配信可能なインターネットラジオ番組の番組リストを作成可能であるとともに、インターネットラジオ装置１およびパソコン３１に番組リストを送信可能なように構成されている。なお、インターネットラジオ番組は、インターネット７０を介して音声データとして配信可能であるので、通常のラジオ電波を介して放送される通常のラジオ番組よりも作成が容易である。このため、インターネットラジオ番組を配信可能な配信サーバ９０は、一般的なラジオ番組を放送する放送局よりもはるかに多く存在しているため、データベースサーバ８０には、数多くのインターネットラジオ番組を配信可能な配信サーバ９０のＵＲＬが記憶されている。
【００２６】
また、受信部１２は、ＬＡＮ接続部１５、ＬＡＮケーブル５０ａ、ルータ３０およびインターネット７０を介してデータベースサーバ８０および配信サーバ９０からデータを受信するように構成されている。具体的には、受信部１２は、データベースサーバ８０から、番組リストと、インターネットラジオ番組を配信可能な配信サーバ９０および番組のＵＲＬとを受信するように構成されている。また、受信部１２は、配信サーバ９０からインターネットラジオ番組の音声データを受信するように構成されている。
【００２７】
また、送信部１３は、ＬＡＮ接続部１５、ＬＡＮケーブル５０ａ、ルータ３０およびインターネット７０を介してデータベースサーバ８０および配信サーバ９０に対して信号を送信するように構成されている。具体的には、送信部１３は、データベースサーバ８０に対して、配信サーバ９０により配信可能なインターネットラジオ番組の番組リストを取得要求する信号を送信するように構成されている。また、送信部１３は、配信サーバ９０に対して、インターネットラジオ番組の音声データを取得要求する信号を送信するように構成されている。
【００２８】
また、音声データ処理部１４は、受信部１２により受信されるインターネットラジオ番組の音声データをスピーカー３により出力可能なように、デコード（復号）する機能を有するとともに、デジタルデータである音声データをアナログデータに変換するＤ／Ａ変換機能を有している。
【００２９】
また、メモリ１１には、受信部１２および音声データ処理部１４が接続されている。また、制御部１０は、受信部１２により受信された音声データを音声データ処理部１４により出力される前に一時的にメモリ１１にバッファ（蓄積）するとともに、バッファされた音声データを、音声データ処理部１４により出力されるデータ量だけ連続的に音声データをメモリ１１から音声データ処理部１４に移すように構成されている。これにより、配信サーバ９０から受信部１２により音声データを受信しながら、リアルタイムでスピーカー３に出力させることが可能となる。
【００３０】
また、第１実施形態では、インターネットラジオ装置１は、ユーザによりモード切換ボタン８が押圧されることにより、ユーザの操作により選局されるインターネットラジオ番組を決定する手動選局モードと、自動的に選局されるインターネットラジオ番組を決定する自動選局モードとが切り換えられるように構成されている。手動選局モードが選択された場合には、制御部１０は、データベースサーバ８０に対して番組リストを要求する信号を送信するように送信部１３を制御するように構成されている。そして、制御部１０は、データベースサーバ８０から番組リストを受信部１２が受信した後に、表示部４に番組リストを表示するように構成されている。また、制御部１０は、ユーザの操作キー５の操作により、番組リストの中からユーザの好みのインターネットラジオ番組が選局された場合に、選局されたインターネットラジオ番組のＵＲＬに音声データの取得要求する信号を送信するように送信部１３を制御するとともに、受信部１２により受信された音声データをスピーカー３に出力するように構成されている。このとき、出力されたインターネットラジオ番組が３０秒間出力されつづけた場合に、制御部１０は、出力されたインターネットラジオ番組のＵＲＬをメモリ１１に記憶するとともに、そのＵＲＬへのアクセスを記憶する（選局回数に「１」を加算する）ように構成されている。
【００３１】
また、第１実施形態では、自動選局モードが選択された場合には、制御部１０は、ユーザの過去のインターネットラジオ番組の聴取頻度に基づいて、スピーカー３に出力するインターネットラジオ番組を決定するとともに、出力するインターネットラジオ番組を、２分毎に、ユーザの過去のインターネットラジオ番組の聴取頻度に基づいて切り換えるように構成されている。具体的には、制御部１０は、メモリ１１に記憶され、手動選局モードが選択されていた際にユーザにより過去に選局されたインターネットラジオ番組のＵＲＬの中から、過去にユーザが数多く聴取したインターネットラジオ番組が高い頻度で選局されるように、番組の選局回数により重み付けをして選局するインターネットラジオ番組を決定するように構成されている。すなわち、制御部１０は、手動選局モードが選択されている際に過去にユーザにより選局されたインターネットラジオ番組の総選局回数を分母とし、１つのインターネットラジオ番組の選局回数を分子として算出された視聴頻度により重み付けされた比率に基づいて、選局する番組を決定することにより、ユーザの好みに沿うように番組の選局を行うように構成されている。
【００３２】
たとえば、番組Ａと、番組Ｂと、番組Ｃとが過去に選局されたことがメモリ１１に記憶され、番組Ａ、番組Ｂおよび番組Ｃの選局回数が、それぞれ、２回、８回および１０回であるとメモリ１１に記憶されている場合、番組Ａが選局される確率は、２／２０×１００＝１０％となる。同様に、番組Ｂが選局される確率は、８／２０×１００＝４０％となり、番組Ｃが選局される確率は、１０／２０×１００＝５０％となる。
【００３３】
また、制御部１０は、自動選局モードが選択されている場合には、同一の番組が繰り返し選局されるのを避けるように構成されている。具体的には、自動選局モードが選択されてから、制御部１０は、ユーザの聴取頻度に基づいた自動選局動作により、同じ番組が３回選局された場合には、データベースサーバ８０にメモリ１１に記憶されていないインターネットラジオ番組（ユーザにより選局されたことのない番組）のＵＲＬを取得要求する信号を送信するように、送信部１３を制御するように構成されている。また、制御部１０は、自動選局モードが選択されてからのインターネットラジオ番組の総選局回数が１０の倍数になった場合にも、データベースサーバ８０にメモリ１１に記憶されていないインターネットラジオ番組（ユーザにより選局されたことのない番組）のＵＲＬを取得要求する信号を送信するように、送信部１３を制御するように構成されている。これにより、自動選局モードが選択されてから、インターネットラジオ番組の総選局回数が１０回毎にユーザが聴取したことのない番組を選局することが可能となる。
【００３４】
また、制御部１０は、ユーザの過去の視聴頻度に基づいた自動選局動作が行われている際に、ユーザによりモード切換ボタン８が押圧されると、インターネットラジオ番組の２分毎の切換動作を停止するとともに、そのときに出力されていたインターネットラジオ番組を継続再生するように構成されている。
【００３５】
次に、図２〜図４を参照して、本発明の第１実施形態におけるインターネットラジオ装置１の制御動作について説明する。
【００３６】
まず、図３に示すように、ステップＳ１において、制御部１０（図２参照）により、自動選局モードが選択されているか否かが判断される。ステップＳ１において、自動選局モードが選択されていると判断された場合には、ステップＳ２に移行する。また、ステップＳ１において、自動選局モードではなく、手動選局モードが選択されていると判断された場合には、ステップＳ２１（図４参照）に移行する。
【００３７】
そして、ステップＳ２において、自動選局モードが選択された場合の聴取頻度に基づいた自動選局動作により選局するインターネットラジオ番組を決定し、その番組のＵＲＬにアクセスするとともに、番組を有する所定の配信サーバ９０（９０ａ）（図２参照）に番組の音声データの取得信号を送信するように送信部１３（図２参照）が制御される。
【００３８】
そして、ステップＳ３において、所定の配信サーバ９０（９０ａ）からインターネットラジオ番組の音声データが受信部１２（図２参照）により受信されたか否かが判断される。ステップＳ３において、所定の配信サーバ９０（９０ａ）からインターネットラジオ番組の音声データが受信部１２により受信されたと判断された場合には、ステップＳ４に移行する。また、ステップＳ３において、所定の配信サーバ９０（９０ａ）からインターネットラジオ番組の音声データが受信部１２により受信されていないと判断された場合には、音声データが受信されたと判断されるまでこのステップＳ３の判断が繰り返される。
【００３９】
そして、ステップＳ４において、選局したインターネットラジオ番組の選局回数と、自動選局モードが選択されてからの総選局回数とに「１」を加算するとともに、受信部１２により受信されたインターネットラジオ番組の音声データが音声データ処理部１４（図２参照）によりデコード（復号）されるとともに、Ｄ／Ａ変換され、スピーカー３（図２参照）により出力（再生）され、ステップＳ５に移行する。
【００４０】
そして、ステップＳ５において、ユーザによりモード切換ボタン８（図２参照）が押圧されることにより、モードが切り換えられたか否かが判断される。ステップＳ５において、モードが切り換えられたと判断された場合には、手動選局モードが選択されたと判断され、ステップＳ２１（図４参照）に移行する。この場合、出力中のインターネットラジオ番組は、出力が継続された状態が維持される。また、ステップＳ５において、モードが切り換えられていないと判断された場合には、自動選局モードが維持されていると判断され、ステップＳ６に移行する。
【００４１】
そして、ステップＳ６において、出力中のインターネットラジオ番組の音声データが出力され始めてから２分が経過したか否かが判断される。ステップＳ６において、出力中のインターネットラジオ番組の音声データが出力され始めてから２分が経過したと判断された場合には、ステップＳ７に移行する。また、ステップＳ６において、出力中のインターネットラジオ番組の音声データが出力され始めてから２分が経過していないと判断された場合には、番組の出力時間が２分に到達するまでこのステップＳ６の判断が繰り返される。
【００４２】
そして、ステップＳ７において、自動選局モードが選択されてから、同一のインターネットラジオ番組が３回以上選局されたか否かが判断される。このステップＳ７では、ステップＳ４において出力されたインターネットラジオ番組が自動選局モードが選択されてから、３回以上選局されたか否かが判断される。ステップＳ７において、３回以上選局されたと判断された場合には、ステップＳ９に移行する。また、ステップＳ７において、自動選局モードが選択されてから、同一のインターネットラジオ番組が３回以上選局されていないと判断された場合には、同一の番組が２回以下しか選局されていないと判断されて、ステップＳ８に移行する。
【００４３】
そして、ステップＳ８において、自動選局モードが選択されてから、インターネットラジオ番組の総選局回数が１０の倍数であるか否かが判断される。ステップＳ８において、自動選局モードが選択されてから、インターネットラジオ番組の総選局回数が１０の倍数であると判断された場合には、ステップＳ９に移行する。また、ステップＳ８において、自動選局モードが選択されてから、インターネットラジオ番組の総選局回数が１０の倍数ないと判断された場合には、ステップＳ２に戻り、再び自動選局モードが選択された場合の聴取頻度に基づいた自動選局動作により選局するインターネットラジオ番組を決定する。
【００４４】
そして、ステップＳ９において、メモリ１１に記憶されていない新たなインターネットラジオ番組のＵＲＬを取得要求する信号をデータベースサーバ８０に送信するように送信部１３が制御されて、ステップＳ１０に移行する。そして、ステップＳ１０において、データベースサーバ８０からメモリ１１に記憶されていない新たなインターネットラジオ番組（ユーザにより選局されたことのない番組）のＵＲＬが受信部１２により受信されたか否かが判断される。そして、ステップＳ１０において、データベースサーバ８０からメモリ１１に記憶されていない新たなインターネットラジオ番組のＵＲＬが受信部１２により受信されたと判断された場合には、ステップＳ１１に移行する。また、ステップＳ１０において、データベースサーバ８０からメモリ１１に記憶されていない新たなインターネットラジオ番組のＵＲＬが受信部１２により受信されていないと判断された場合には、ＵＲＬが受信されたと判断されるまでこのステップＳ１０の判断が繰り返される。
【００４５】
そして、ステップＳ１１において、受信した新たなインターネットラジオ番組のＵＲＬを有する所定の配信サーバ９０（９０ｂ）に番組の音声データの取得信号を送信するように送信部１３が制御され、ステップＳ１２に移行する。そして、ステップＳ１２において、所定の配信サーバ９０（９０ｂ）からインターネットラジオ番組の音声データが受信部１２により受信されたか否かが判断される。ステップＳ１２において、所定の配信サーバ９０（９０ａ）からインターネットラジオ番組の音声データが受信部１２により受信されたと判断された場合には、ステップＳ１３に移行する。また、ステップＳ１２において、所定の配信サーバ９０（９０ｂ）からインターネットラジオ番組の音声データが受信部１２により受信されていないと判断された場合には、音声データが受信されたと判断されるまでこのステップＳ１２の判断が繰り返される。
【００４６】
そして、ステップＳ１３において、選局した番組の選局回数と、自動選局モードが選択されてからの総選局回数とに「１」を加算するとともに、受信部１２により受信されたインターネットラジオ番組の音声データが音声データ処理部１４によりデコード（復号）されるとともに、Ｄ／Ａ変換され、スピーカー３により出力（再生）され、ステップＳ１４に移行する。
【００４７】
そして、ステップＳ１４において、ユーザによりモード切換ボタン８が押圧されることにより、モードが切り換えられたか否かが判断される。ステップＳ１４において、モードが切り換えられたと判断された場合には、手動選局モードが選択されたと判断され、ステップＳ２１（図４参照）に移行する。この場合、出力中のインターネットラジオ番組は、出力が継続された状態が維持される。また、ステップＳ１４において、モードが切り換えられていないと判断された場合には、自動選局モードが維持されていると判断され、ステップＳ１５に移行する。
【００４８】
そして、ステップＳ１５において、出力中のインターネットラジオ番組の音声データが出力され始めてから２分が経過したか否かが判断される。ステップＳ１５において、出力中のインターネットラジオ番組の音声データが出力され始めてから２分が経過したと判断された場合には、ステップＳ２に移行する。また、ステップＳ１５において、出力中のインターネットラジオ番組の音声データが出力され始めてから２分が経過していないと判断された場合には、番組の出力時間が２分に到達するまでこのステップＳ１５の判断が繰り返される。
【００４９】
また、ステップＳ１において、自動選局モードではなく、手動選局モードが選択されていると判断された場合には、図４に示すように、ステップＳ２１に移行する。そして、ステップＳ２１において、データベースサーバ８０に番組リストの取得信号を送信するように送信部１３を制御して、ステップＳ２２に移行する。そして、ステップＳ２２において、データベースサーバ８０から番組リストが受信部１２により受信されたか否かが判断される。ステップＳ２２において、データベースサーバ８０から番組リストが受信部１２により受信されたと判断された場合には、ステップＳ２３に移行する。また、ステップＳ２２において、データベースサーバ８０から番組リストが受信部１２により受信されていないと判断された場合には、番組リストが受信部１２により受信されるまでこの判断が繰り返される。
【００５０】
そして、ステップＳ２３において、表示部４に受信部１２により受信された番組リストが表示され、ステップＳ２４に移行する。そして、ステップＳ２４において、表示部４に表示された番組リストの中から１つのインターネットラジオ番組がユーザにより選択されることにより、選局される番組が決定された否かが判断される。ステップＳ２４において、ユーザの操作により、選局される番組が決定されたと判断された場合には、ステップＳ２６に移行する。なお、この後も、表示部４には、番組リストが表示され続ける。また、ステップＳ２４において、ユーザの操作により、選局される番組が決定されていないと判断された場合には、表示部４に対する番組リストの表示し続けながら、ステップＳ２５に移行する。
【００５１】
そして、ステップＳ２５において、ユーザによりモード切換ボタン８が押圧されることにより、モードが切り換えられたか否かが判断される。ステップＳ２５において、モードが切り換えられたと判断された場合には、自動選局モードが選択されたと判断され、ステップＳ２（図３参照）に移行する。また、ステップＳ２５において、モードが切り換えられていないと判断された場合には、ステップＳ２４に戻る。
【００５２】
そして、ステップＳ２６において、ユーザにより選局されたインターネットラジオ番組のＵＲＬを有する所定の配信サーバ９０（９０ｃ）に番組の音声データの取得信号を送信するように送信部１３が制御されて、ステップＳ２７に移行する。そして、ステップＳ２７において、所定の配信サーバ９０（９０ｃ）からインターネットラジオ番組の音声データが受信部１２により受信されたか否かが判断される。ステップＳ２７において、所定の配信サーバ９０（９０ａ）からインターネットラジオ番組の音声データが受信部１２により受信されたと判断された場合には、ステップＳ２８に移行する。また、ステップＳ２７において、所定の配信サーバ９０（９０ｃ）からインターネットラジオ番組の音声データが受信部１２により受信されていないと判断された場合には、音声データが受信されたと判断されるまでこのステップＳ２７の判断が繰り返される。
【００５３】
そして、ステップＳ２８において、受信部１２により受信されたインターネットラジオ番組の音声データが音声データ処理部１４によりデコード（復号）されるとともに、Ｄ／Ａ変換され、スピーカー３により出力（再生）され、ステップＳ２９に移行する。
【００５４】
そして、ステップＳ２９において、ユーザによりモード切換ボタン８が押圧されることにより、モードが切り換えられたか否かが判断される。ステップＳ２９において、モードが切り換えられたと判断された場合には、自動選局モードが選択されたと判断され、ステップＳ２に移行する。また、ステップＳ２９において、モードが切り換えられていないと判断された場合には、手動選局モードが維持されていると判断され、ステップＳ３０に移行する。
【００５５】
そして、ステップＳ３０において、ユーザにより表示部４に表示された番組リストの中から再びインターネットラジオ番組が選択されることにより番組が切り換えられる操作が行われたと判断されたか否かが判断される。ステップＳ３０において、番組が切り換えられる操作が行われたと判断された場合には、ステップＳ２６に移行する。また、ステップＳ３０において、番組が切り換えられる操作が行われていないと判断された場合には、ステップＳ３１に移行する。
【００５６】
そして、ステップＳ３１において、インターネットラジオ番組の音声データが出力開始から３０秒経過したか否かが判断される。このステップＳ３１では、ステップＳ２８で出力されたインターネットラジオ番組が３０秒間継続的に出力されたか否かが判断される。ステップＳ３１において、インターネットラジオ番組の音声データが出力開始から３０秒経過したと判断された場合には、ステップＳ３２に移行する。また、インターネットラジオ番組の音声データが出力開始から３０秒経過していないと判断された場合には、ステップＳ２９に戻る。そして、ステップＳ３２において、出力中のインターネットラジオ番組のＵＲＬがメモリ１１に記憶されるとともに、番組の選局（アクセス）回数が「１」加算されて、ステップＳ３３に移行する。
【００５７】
そして、ステップＳ３３において、ユーザによりモード切換ボタン８が押圧されることにより、モードが切り換えられたか否かが判断される。ステップＳ３３において、モードが切り換えられたと判断された場合には、自動選局モードが選択されたと判断され、ステップＳ２（図３参照）に移行する。また、ステップＳ３３において、モードが切り換えられていないと判断された場合には、手動選局モードが維持されていると判断され、ステップＳ３４に移行する。
【００５８】
そして、ステップＳ３４において、ユーザにより表示部４に表示された番組リストの中から再びインターネットラジオ番組が選択されることにより番組が切り換えられる操作が行われたと判断されたか否かが判断される。ステップＳ３４において、番組が切り換えられる操作が行われたと判断された場合には、ステップＳ２６に移行する。また、ステップＳ３４において、番組が切り換えられる操作が行われていないと判断された場合には、ステップＳ３３に戻る。このとき、出力中のインターネットラジオ番組は、そのまま出力が継続された状態が維持される。
【００５９】
第１実施形態では、上記のように、受信部１２により受信されたインターネットラジオ番組の音声データを出力するスピーカー３と、インターネットラジオ番組の過去の聴取頻度に基づいて、スピーカー３が出力するインターネットラジオ番組を決定するとともに、所定の時間毎にスピーカー３が出力するインターネットラジオ番組を、インターネットラジオ番組の過去の聴取頻度に基づいて切換可能な制御部１０とを設けることによって、ユーザの過去の聴取頻度が反映されたインターネットラジオ番組が自動的に選局されるとともに、選局されるインターネットラジオ番組が所定の時間毎に自動的に切り換えられる。これにより、ユーザの好みに合ったインターネットラジオ番組が自動的に選局されるとともに、ユーザの好みに合った番組の選局動作が所定の時間毎に自動的に繰り返されるので、ユーザによる操作が煩雑化するのを抑制しながら、ユーザの好みに合ったインターネットラジオ番組が出力されるまでの時間を短縮することができる。
【００６０】
また、第１実施形態では、上記のように、インターネットラジオ番組の聴取頻度を記憶可能なメモリ１１を設け、制御部１０を、メモリ１１により記憶されたインターネットラジオ番組の聴取頻度に基づいて、スピーカー３が出力するインターネットラジオ番組を決定するように構成することによって、メモリ１１に記憶されたインターネットラジオ番組の聴取頻度に基づいて、容易に、ユーザの好みに合ったインターネットラジオ番組を選局することができる。
【００６１】
また、第１実施形態では、上記のように、制御部１０を、インターネットラジオ番組をインターネット７０を介してアクセスするためのＵＲＬとＵＲＬにアクセスした回数とを対応付けてメモリ１１を記憶するように構成することによって、メモリ１１により記憶されたＵＲＬのアクセス回数に基づいて、スピーカー３が出力するインターネットラジオ番組を決定するように構成されている。このように構成すれば、メモリ１１に記憶されたインターネットラジオ番組のＵＲＬおよびそのＵＲＬのアクセス回数に基づいて、ユーザの好みに合ったインターネットラジオ番組を容易に選局することができる。
【００６２】
また、第１実施形態では、上記のように、インターネットラジオ番組の所定の時間毎の切換動作を停止させるとともに、スピーカー３により出力中のインターネットラジオ番組を継続的に出力させるユーザによる指示を受け付けるモード切換ボタン８を設けることによって、インターネットラジオ番組の切換動作中に、ユーザの好みに合ったインターネットラジオ番組が出力された場合に、モード切換ボタン８によりユーザの操作が受け付けられることにより、容易に、所定の時間毎のインターネットラジオ番組の切換を停止させるとともに、ユーザの好みに合ったインターネットラジオ番組の聴取を継続することができる。
【００６３】
また、第１実施形態では、上記のように、モード切換ボタン８を、ユーザの操作によりスピーカー３に出力するインターネットラジオ番組を選局する手動選局モードと、スピーカー３に出力するインターネットラジオ番組を自動的に選局する自動選局モードとを切換可能に構成するとともに、制御部１０を、自動選局モードが選択されている場合に、所定の時間毎にスピーカー３が出力するインターネットラジオ番組を、インターネットラジオ番組の聴取頻度に基づいて切り換える制御を行うように構成する。これにより、モード切換ボタン８が操作されることによって手動選局モードと自動選局モードとが切り換えられることにより、ユーザの好みに合ったインターネットラジオ番組を選局することができる。
【００６４】
また、第１実施形態では、上記のように、インターネットラジオ番組の聴取頻度を記憶可能なメモリ１１を設け、制御部１０を、手動選局モードが選択されている場合に、ユーザの操作により選局されたインターネットラジオ番組の聴取頻度をメモリ１１に記憶するとともに、自動選局モードが選択されている場合には、選局されたインターネットラジオ番組の聴取頻度をメモリ１１に記憶しないように構成することによって、ユーザ自身の操作により選局されたインターネットラジオ番組のみがインターネットラジオ番組のユーザによる聴取頻度として数えられるので、自動選局モードが選択された際に、より正確にユーザの好みに合ったインターネットラジオ番組を選局することができる。
【００６５】
（第２実施形態）
次に、図５および図６を参照して、本発明の第２実施形態におけるインターネットラジオ機能を有するＤＶＤ録画再生装置１０１の構成を説明する。なお、第２実施形態では、本発明のディスク装置の一例として、ＤＶＤ録画再生装置１０１について説明する。この第２実施形態では、上記第１実施形態とは異なり、ＤＶＤ録画再生装置１０１にインターネットラジオ部２００を内蔵する例について説明する。
【００６６】
本発明の第２実施形態におけるＤＶＤ録画再生装置１０１は、図５に示すように、ディスクローダ１０２と、受光部１０３とを備えている。また、ＤＶＤ録画再生装置１０１は、リモコン１５０により操作可能に構成されており、リモコン１５０からの操作信号を受光部１０３により受光するように構成されている。また、リモコン１５０は、モード切換ボタン１５１と、光信号を送信する発光部１５２とを含んでいる。また、ＤＶＤ録画再生装置１０１は、液晶テレビジョン装置３００と接続されており、ディスクローダ１０２により再生されたＤＶＤ（図示せず）を後述する出力部１１４により液晶テレビジョン装置３００に出力するように構成されている。また、ＤＶＤ録画再生装置１０１は、インターネットラジオ番組の音声データを液晶テレビジョン装置３００に出力するためのインターネットラジオ部２００を内部に含んでいる。また、液晶テレビジョン装置３００は、表示部３０１と、スピーカー３０２と、制御部３０３（図６参照）とを含んでいる。なお、ディスクローダ１０２は、本発明の「ディスク駆動部」の一例であり、モード切換ボタン１５１は、本発明の「番組固定受付手段」および「モード切換部」の一例である。また、液晶テレビジョン装置３００は、本発明の「表示装置」の一例である。
【００６７】
また、ＤＶＤ録画再生装置１０１は、図６に示すように、ディスクローダ１０２、受光部１０３およびインターネットラジオ部２００と接続される制御部１１０を備えている。このＤＶＤ録画再生装置１０１の制御部１１０には、メモリ１１１と、受信部１１２と、送信部１１３と、出力部１１４と、チューナ１１６とが接続されている。受信部１１２と送信部１１３とは、それぞれ、ＬＡＮ接続部１１５を介してＬＡＮケーブル５０ａに接続されている。また、ＬＡＮ接続部１１５は、ＬＡＮケーブル５０ａを介してルータ３０のＬＡＮポート３０ａと接続されている。また、インターネットラジオ部（インターネット接続部）２００は、受信部１１２、送信部１１３およびＬＡＮ接続部１１５により構成されている。また、チューナ１１６は、テレビジョン放送を受信するように構成されており、チューナ１１６により受信されたテレビジョン放送を、ディスクローダ１０２によりＤＶＤ（図示せず）に書き込み可能なように構成されている。なお、メモリ１１１は、本発明の「記憶部」の一例である。
【００６８】
また、メモリ１１１には、受信部１１２および出力部１１４が接続されている。また、制御部１１０は、受信部１１２により受信された音声データを出力部１１４により出力される前に一時的にメモリ１１１にバッファ（蓄積）するとともに、バッファされた音声データを、出力部１１４により出力されるデータ量だけ連続的に音声データをメモリ１１１から出力部１１４に移すように構成されている。これにより、配信サーバ９０から受信部１１２により音声データを受信しながら、リアルタイムで液晶テレビジョン装置３００のスピーカー３０２に出力させることが可能となる。
【００６９】
また、制御部１１０は、データベースサーバ８０から受信部１１２により受信される番組リストを出力部１１４を介して、液晶テレビジョン装置３００の表示部３０１に表示するように構成されている。また、液晶テレビジョン装置３００に表示された番組リストの中から、ユーザのリモコン１５０の操作により、インターネットラジオ番組の選局が行われ、この選局結果がＤＶＤ録画再生装置１０１の制御部１１０に伝達されるように構成されている。
【００７０】
また、第２実施形態では、ＤＶＤ録画再生装置１０１は、ユーザによりリモコン１５０のモード切換ボタン１５１が押圧されることにより、発光部１５２からモード切換信号が送信され、受光部１０３によりこのモード切換信号が受光されるように構成されている。これにより、インターネットラジオ部２００は、ユーザのリモコン１５０のモード切換ボタン１５１の操作により、選局されるインターネットラジオ番組を手動で決定する手動選局モードと、選局されるインターネットラジオ番組を自動的に決定する自動選局モードとが切り換えられるように構成されている。
【００７１】
なお、第２実施形態のその他の構成および効果については、第１実施形態と同様である。
【００７２】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００７３】
たとえば、上記第１および第２実施形態では、本発明のインターネットラジオ機能を有する電子機器の一例として、インターネットラジオ装置およびＤＶＤ録画再生装置を示したが、本発明はこれに限らず、インターネットと接続可能で、かつ、インターネットラジオ機能を有する電子機器であれば、インターネットラジオ装置およびＤＶＤ録画再生装置以外の電子機器にも適用可能である。
【００７４】
また、上記第２実施形態では、本発明のインターネットラジオ機能を有するディスク装置の一例として、ＤＶＤ録画再生装置を示したが、本発明はこれに限らず、ＤＶＤ再生装置、ＣＤプレイヤ、ブルーレイディスクレコーダおよびハードディスクレコーダなど、インターネットと接続可能で、かつ、インターネットラジオ機能を搭載可能であれば、ＤＶＤ録画再生装置以外のディスク装置にも適用可能である。
【００７５】
また、上記第１および第２実施形態では、自動選局モードが選択された場合の自動選局動作を、インターネットラジオ番組の総選局回数を分母とし、ある番組の選局回数を分子として算出された確率に基づいて、選局する番組を決定する例を示したが、本発明はこれに限らず、番組の聴取頻度を反映可能な方法であれば、その他の算出方法で選局する番組を決定してもよい。
【００７６】
また、上記第１および第２実施形態では、自動選局モードが選択された場合の自動選局動作時に、インターネットラジオ番組が出力されてから次の番組に切り換わるまでの番組の出力時間を２分とする例を示したが、本発明はこれに限らず、２分未満または２分よりも長く設定してもよい。
【００７７】
また、上記第１および第２実施形態では、自動選局モードが選択された場合の自動選局動作時に、同一のインターネットラジオ番組が３回以上選局された場合に、メモリに記憶されていない番組を検索するとともに選局するように構成したが、本発明はこれに限らず、２回以上選局された場合に、メモリに記憶されていない番組を検索するとともに選局するように構成してもよい。また、４回以上の所定の回数以上選局された場合に、メモリに記憶されていない番組を検索するとともに選局するように構成してもよい。
【００７８】
また、上記第１および第２実施形態では、自動選局モードが選択された場合の自動選局動作時に、メモリに記憶されているインターネットラジオ番組の総選局回数が１０の倍数の場合にメモリに記憶されていない番組を検索するとともに選局するように構成したが、本発明はこれに限らず、総選局回数が１０の倍数以外の回数毎にメモリに記憶されていない番組を検索するとともに選局するように構成してもよい。
【００７９】
また、上記第１および第２実施形態では、手動選局モードが選択されている場合に、ユーザにより選局されたインターネットラジオ番組のＵＲＬをメモリに記憶するとともに、選局回数に「１」を加算するための番組の出力時間を３０秒とする例を示したが、本発明はこれに限らず、手動選局モード時の選局回数に「１」を加算するための番組の出力時間を３０秒未満または３０秒よりも長く設定してもよい。
【００８０】
また、上記第１および第２実施形態では、受信部により受信されたインターネットラジオ番組の音声データをリアルタイムで出力する例を示したが、本発明はこれに限らず、音声データを包括的にダウンロードした後に、出力するように構成してもよい。
【００８１】
また、上記第１および第２実施形態では、１つのインターネットラジオ装置およびＤＶＤ録画再生装置内で選局動作および出力動作を行う例を示したが、本発明は、これに限らず、複数のインターネットラジオ機能を有する電子機器をＬＡＮケーブルにより接続するとともに、それぞれの電子機器により出力されたインターネットラジオ番組の聴取頻度を反映して自動選局動作が行われるように構成してもよい。たとえば、図７に示す変形例のように、３つのインターネットラジオ装置４００、４００ａおよび４００ｂは、ＬＡＮケーブル５０ａにより接続し、相互通信可能に構成されている。また、インターネットラジオ装置４００は、親機として、インターネットラジオ装置４００ａおよび４００ｂは、それぞれ子機として登録されており、インターネットラジオ装置４００、４００ａおよび４００ｂのそれぞれで選局されたインターネットラジオ番組を、親機であるインターネットラジオ装置４００の制御部４０１がメモリ４０２に記憶するように構成されている。これにより、インターネットラジオ装置４００、４００ａおよび４００ｂにおいて選局されたインターネットラジオ番組の聴取頻度を反映させることができるとともに、３つのインターネットラジオ装置４００、４００ａおよび４００ｂのそれぞれにおいて出力されたインターネットラジオ番組の聴取頻度を共有することができる。なお、メモリ４０２は、本発明の「記憶部」の一例である。
【符号の説明】
【００８２】
１、４００、４００ａ、４００ｂ  インターネットラジオ装置（電子機器）
３  スピーカー（出力部）
８、１５１  モード切換ボタン（番組固定受付手段、モード切換部）
１０、１１０、４０１  制御部
１１、１１１、４０２  メモリ（記憶部）
１２、１１２  受信部
１４  音声データ処理部（出力部） 
９０  配信サーバ
１０１  ＤＶＤ録画再生装置（ディスク装置）
１０２  ディスクローダ（ディスク駆動部）
１１４  出力部
３００  液晶テレビジョン装置（表示装置）
【図１】
2010278794.tif 000003
【図２】
2010278794.tif 000004
【図３】
2010278794.tif 000005
【図４】
2010278794.tif 000006
【図５】
2010278794.tif 000007
【図６】
2010278794.tif 000008
【図７】
2010278794.tif 000009